(57)【要約】【課題】端子を開閉可能な端子蓋体を開蓋状態で保持する構成を、簡単かつ低コストに実現する。【解決手段】端子蓋体２１に回動規制部２４を備えたことにより、端子蓋体２１を開蓋位置に移行させた際に、連結部２２及び２３の復元力によって閉蓋方向へ回動しようとするのを規制することができる。したがって、端子にケーブルを接続する際に端子蓋体２１が接続を阻害することがなく、容易に端子にケーブルを接続することができる。【選択図】図４
2010205608.tif 000002
【特許請求の範囲】
【請求項１】
筐体と、
前記筐体に回動自在に支持され、前記筐体における被隠蔽部を開閉可能な蓋体とを備え、
前記蓋体は、
前記蓋体が前記被隠蔽部を開放する位置にある時に、前記蓋体の閉蓋方向への回動を規制可能な回動規制部を備えた、蓋開閉装置。
【請求項２】
前記回動規制部は、前記蓋体に一体形成されている、請求項１記載の蓋開閉装置。
【請求項３】
前記回動規制部は、前記蓋体が前記被隠蔽部を開放する位置にある時に、前記筐体の表面に面当接し、前記蓋体の閉蓋方向への回動を規制する閉蓋規制面を備えた、請求項１記載の蓋開閉装置。
【請求項４】
前記回動規制部は、前記蓋体が前記被隠蔽部を閉塞する位置にある時に、前記筐体の表面に面当接し、前記蓋体の開蓋方向への回動を規制する開蓋規制面を備えた、請求項１記載の蓋開閉装置。
【請求項５】
前記回動規制部は、
前記蓋体が前記被隠蔽部を開放する位置にある時に、前記筐体の表面に面当接し、前記蓋体の閉蓋方向への回動を規制する閉蓋規制面と、
前記蓋体が前記被隠蔽部を閉塞する位置にある時に、前記筐体の表面に面当接し、前記蓋体の開蓋方向への回動を規制する開蓋規制面と、
前記閉蓋規制面と前記開蓋規制面との間に形成された突状の境界部とを備えた、請求項１記載の蓋開閉装置。
【請求項６】
前記被隠蔽部は、通信ケーブルを接続可能な端子を備え、
前記蓋体が前記被隠蔽部を開放する位置にある時の、前記筐体に対する前記蓋体の開き角度は、前記蓋体と前記端子に接続された前記通信ケーブルとの間に間隙を有する角度である、請求項１記載の蓋開閉装置。
【発明の詳細な説明】
【技術分野】
【０００１】
本発明は、端子などを開閉可能な蓋開閉装置に関する。
【背景技術】
【０００２】
近年、携帯電話端末やデジタルスチルカメラなどのモバイル機器に備わる、各種情報を授受する信号端子や商用電源を供給するための電源端子などは、水分や埃などが付着しないように、カバーで覆われていることが多い。特許文献１には、携帯電話端末の筐体の端部に配された端子を開閉可能な端子蓋体を備えた構成を開示している。特許文献１に開示された端子蓋体は、帯状の連結部を介して電話機本体に連結されている。
【特許文献１】特開２００２−１９０３４９号公報（図８〜図１４）
【発明の開示】
【発明が解決しようとする課題】
【０００３】
特許文献１に開示された端子蓋体は、端子にケーブルなどを接続する際、特許文献１の図１４に示すように連結部を湾曲させて端子蓋体を開く必要がある。しかしながら図１４に示す状態から使用者が端子蓋体から手を離すと、端子蓋体は、連結部が元に戻ろうとする力によって、特許文献１の図１３に示すように端子の前部へ移動し、ケーブルの接続を阻害することになる。したがって、使用者は、端子にケーブルを接続する際、一方の手で端子蓋体を開いた状態で支持し、他方の手でケーブルを接続することになるため、ケーブルを接続するために両手が必要になり、操作性を低下させていた。
【０００４】
本発明は、蓋体を開蓋状態で保持可能とし、被隠蔽部へのアクセス性を向上することができる蓋開閉装置を提供することを目的とする。
【課題を解決するための手段】
【０００５】
本発明の蓋開閉装置は、筐体と、前記筐体に回動自在に支持され、前記筐体における被隠蔽部を開閉可能な蓋体とを備え、前記蓋体は、前記蓋体が前記被隠蔽部を開放する位置にある時に、前記蓋体の閉蓋方向への回動を規制可能な回動規制部を備えたものである。
【発明の効果】
【０００６】
本発明によれば、蓋体を開蓋状態で保持可能としたことにより、被隠蔽部へのアクセス性を向上することができる。
【発明を実施するための最良の形態】
【０００７】
本発明の蓋開閉装置において、前記回動規制部は、前記蓋体に一体形成されている構成とすることができる。このような構成とすることにより、少ない部品点数で実現することができるため、コストダウンを図ることができる。
【０００８】
本発明の蓋開閉装置において、前記回動規制部は、前記蓋体が前記被隠蔽部を開放する位置にある時に、前記筐体の表面に面当接し、前記蓋体の閉蓋方向への回動を規制する閉蓋規制面を備えた構成とすることができる。このような構成とすることにより、蓋体を開蓋位置で位置決めすることができる。したがって、被隠蔽部における蓋体対向面側または被隠蔽部内部へのアクセス性を向上することができる。
【０００９】
本発明の蓋開閉装置において、前記回動規制部は、前記蓋体が前記被隠蔽部を閉塞する位置にある時に、前記筐体の表面に面当接し、開蓋方向への回動を規制する開蓋規制面を備えた構成とすることができる。このような構成とすることにより、蓋体が閉塞位置にある時に、自重または蓋体を被隠蔽部に対して回動自在に軸支する回動軸回りに発生する復元力により開蓋方向へ回動するのを防ぐことができる。
【００１０】
本発明の蓋開閉装置において、前記回動規制部は、前記蓋体が前記被隠蔽部を開放する位置にある時に、前記筐体の表面に面当接し、前記蓋体の閉蓋方向への回動を規制する閉蓋規制面と、前記蓋体が前記被隠蔽部を閉塞する位置にある時に、前記筐体の表面に面当接し、前記蓋体の開蓋方向への回動を規制する開蓋規制面と、前記閉蓋規制面と前記開蓋規制面との間に形成された突状の境界部とを備えた構成とすることができる。このような構成とすることにより、蓋体を開蓋位置で位置決めすることができる。したがって、被隠蔽部における蓋体対向面側または被隠蔽部内部へのアクセス性を向上することができる。また、蓋体が閉塞位置にある時に、自重または蓋体を被隠蔽部に対して回動自在に軸支する回動軸回りに発生する復元力により開蓋方向へ回動するのを防ぐことができる。
【００１１】
本発明の蓋開閉装置において、前記被隠蔽部は、通信ケーブルを接続可能な端子を備え、前記蓋体が前記被隠蔽部を開放する位置にある時の、前記筐体に対する前記蓋体の開き角度は、前記蓋体と前記端子に接続された前記通信ケーブルとの間に間隙を有する角度である構成とすることができる。このような構成とすることにより、端子に接続されたケーブルに蓋体が接触しないため、ケーブルを端子から容易に離脱させることができる。また、ケーブルに対して負荷がかからないため、ケーブルと端子との接続不良や、ケーブルの端子と被隠蔽部に備える端子との接続不良などを防止することができる。
【００１２】
（実施の形態１）
〔１．カード装着装置の構成〕
実施の形態１では、蓋開閉装置を備えた装置の一例としてカード装着装置を挙げている。カード装着装置は、スマートカードなどのカード状媒体を着脱可能であり、パーソナルコンピューター（以下パソコンと称する）などの情報機器に外部接続可能な装置である。実施の形態１の蓋開閉装置は、カード装着装置に限らず、パソコン、デジタルスチルカメラ、携帯電話端末などのモバイル機器に備わる、各種端子を覆うことができる端子蓋体に有用である。また、実施の形態１にかかる蓋開閉装置で覆うことができるものは、端子に限らない。
【００１３】
図１は、実施の形態１における蓋開閉装置を備えたカード装着装置の外観（前面側）を示す斜視図である。図２は、実施の形態１における蓋開閉装置を備えたカード装着装置の外観（背面側）を示す斜視図である。図３は、カード装着装置のカード蓋体が開いた状態を示す斜視図である。
【００１４】
図１及び図２に示すように、カード装着装置は、略直方体を成す筐体１内に、電気回路部品を内蔵している。図２に示すように、筐体１の背面１ｂには、パソコン５０（図８参照して後述）などの各種情報処理装置に接続可能なコネクタ２を備えている。筐体１の右側面１ｄ（カード装着装置を、前面１ａを使用者側に対向させて内面１ｃを上方に向けた姿勢にした時に、使用者から見て向かって右側に位置する側面）には、ネジ５ａを支持しているリブ４ａが突出形成されている。筐体１の左側面１ｅ（右側面１ｄの裏側の面）には、ネジ５ｂを支持しているリブ４ｂが突出形成されている。ネジ５ａ及び５ｂは、後述のパソコン５０に形成されたネジ穴（不図示）に螺結させることができる。また、筐体１の上面１ｆ（前面１ａ、背面１ｂ、右側面１ｄ及び左側面１ｅに隣接する一方の面）には、カード蓋体３、ロックレバー１４を備えている。
【００１５】
カード蓋体３は、主に、主平面が長方形である略板状の部材で形成されている。カード蓋体３の略板状の部材は、主平面の面積が少なくともスマートカード１００（図３参照）の主平面の面積よりも大きく形成されている。また、カード蓋体３は、略板状の部材の一方の長辺部近傍が、支軸３１によって筐体１に支持されている。また、カード蓋体３は、支軸３１の軸回りに矢印Ａ及びＢに示す方向へ回動自在である。カード蓋体３は、少なくとも筐体１内のカード装着部を閉塞する閉塞位置と、筐体１内のカード装着部を開放する開蓋位置との間を、回動可能である。図１及び図２はカード蓋体３が閉塞位置にある状態を示し、図３はカード蓋体３が開蓋位置にある状態を示している。
【００１６】
また、カード蓋体３は、表裏一対の主平面のうち、筐体１のカード装着部に対向する主平面（以下、「カード蓋体３の裏面」と称する）に、スマートカード１００（後述）を保持可能な一対のカード保持部３３（図３参照）を備えている。カード保持部３３は、カード蓋体３の裏面における両端近傍において突出形成された、断面形状が略Ｌ字型の部材である。また、カード保持部３３は、カード蓋体３の短辺に沿って形成されている。また、カード蓋体３は、一対のカード保持部３３の間に、スマートカード１００を挿入可能な開口部３４が形成されている。開口部３４は、幅寸法が少なくともスマートカード１００の長手方向の寸法よりも大きく形成されている。
【００１７】
ロックレバー１４は、矢印Ｆ及びＧに示す方向へスライド可能に配されている。ロックレバー１４は、図１及び図２に示す位置にある時、カード蓋体３に形成された爪部（不図示）に係合し、カード蓋体３を閉塞位置で位置決めしている。また、ロックレバー１４が図３に示す位置にある時、カード蓋体３に形成された爪部（不図示）との係合が解除され、カード蓋体３を回動可能な状態となる。
【００１８】
筐体１においてカード蓋体３により覆われた部分には、接触端子部１１が配されている。接触端子部１１は、複数（実施の形態１では、スマートカード１００の端子１０１における接触領域の数と同数の８個）の接触端子１１ａを備えている。接触端子１１ａは、弾性を有する略板状の金属で形成されている。
【００１９】
図３に示すように、スマートカード１００は、国際規格ＩＳＯ７８１６に基づき物理的特性や電気的特性が規定されているとともに、日本工業規格ＪＩＳＸ６３０３に物理的特性や外部端子の位置・寸法などが規定されている。スマートカード１００は、これらの規格に準拠しており、例えば幅約９５ｍｍ、奥行約５４ｍｍ、厚さ約０．５〜１．０ｍｍの大きさを有するカード状の本体にＩＣチップ（集積回路）を内蔵して構成されている。また、スマートカード１００の少なくとも一方の主面１００ａには、ＩＣチップに電気的に接続された端子１０１が配されている。ＩＣチップは、セキュリティ情報などの各種情報を記憶することができる機能を有するものや、演算処理を実行することができる機能を有するものがある。端子１０１の位置や寸法についても、ＪＩＳＸ６３０３規格に規定されており、カード装着装置はこの規格に準拠したスマートカードに対応するために接触端子部１１及び接触端子１１ａの位置や寸法が決められている。
【００２０】
スマートカード１００をカード装着装置へ挿入する際は、スマートカード１００を、図３に示すように端子１０１が向かって右側に位置しかつ主面１００ａが接触端子部１１に対向する姿勢にして、開口部３４に挿入する。開口部３４に挿入されたスマートカード１００は、カード保持部３３により位置規制されて、カード蓋体３に保持される。次に、カード蓋体３を、支軸３１の軸周りに矢印Ｂに示す方向へ回動させることで、カード蓋体３はスマートカード１００を保持したまま、図１及び図２に示す閉塞位置まで変位する。次に、カード蓋体３を閉塞位置まで変位させた状態で、ロックレバー１４を図３に示す位置から矢印Ｆに示す方向へスライドさせることにより、カード蓋体３を閉塞位置で固定することができる。これにより、スマートカード１００の装着動作が完了する。カード蓋体３を閉塞位置まで回動させることにより、接触端子部１１における接触端子１１ａと端子１０１とが接触し、電気的に接続された状態になる。
【００２１】
〔２．蓋開閉装置の構成〕
図１に示すように、筐体１の前面１ａには端子蓋体２１を備えている。端子蓋体２１は、図１に示す閉蓋位置と、図４に示す開蓋位置との間を回動自在である。
【００２２】
図４に示すように、端子蓋体２１は、筐体１に配されたシリアル端子２５とＬＡＮ端子２６とを開閉することができる。なお、シリアル端子２５及びＬＡＮ端子２６は、端子蓋体２１で開閉可能な端子の一例である。端子蓋体２１は、主平面が略長方形を有する略板状に形成されており、対向する長辺部のうち一方の長辺部に連結部２２及び２３、回動規制部２４が一体形成されている。端子蓋体２１は、例えば硬質ゴム等の弾性変形性を有する樹脂材料で形成することが好ましい。
【００２３】
連結部２２及び２３は、端子蓋体２１を筐体１に回動自在に支持する部位である。連結部２２及び２３は、柔軟性を有するように少なくとも一部が薄肉に形成されている。端子蓋体２１は、連結部２２及び２３を変形させながら、矢印Ｃ及びＤに示す方向へ回動することができる。連結部２２及び２３は、実施の形態１では筐体１にビスなどで固定されている構成としたが、爪係合などの係合手段によって固定されている構成としてもよい。
【００２４】
回動規制部２４は、端子蓋体２１が図１に示す閉蓋位置に位置している時に、開蓋方向（矢印Ｃに示す方向）に回動するのを規制することができる。回動規制部２４は、端子蓋体２１が図４に示す開蓋位置に位置している時に、閉蓋方向（矢印Ｄに示す方向）に回動するのを規制することができる。回動規制部２４は、その端部が筐体１に当接可能に形成されている。
【００２５】
図５Ａは、端子蓋体２１が閉蓋位置にある状態を示す要部断面図であり、端子蓋体２１近傍のみを図４におけるＺ−Ｚ部で破断した断面図である。図５Ｂは、図５Ａにおける回動規制部２４近傍の要部断面図である。図５Ｂに示すように、端子蓋体２１が閉蓋位置にある時は、回動規制部２４の第１規制面２４ａが筐体１の内面１ｇに当接している。端子蓋体２１を矢印Ｃ方向に回動させるためには、回動規制部２４に備える第１規制面２４ａと第３規制面２４ｃとの境界部２４ｄが筐体１の内面１ｇに乗り上げる必要があるため、端子蓋体２１は、図５Ａに示す閉蓋状態において、自重により矢印Ｃに示す方向へ回動するのを規制されている。なお、実施の形態１では、筐体１に凹部１３を設け、端子蓋体２１に凸部２７を設け、端子蓋体２１が閉蓋位置にある時に凸部２７が凹部１３に嵌合する構成としている。このような構成とすることにより、端子蓋体２１が閉蓋位置にある時に矢印Ｃに示す方向への回動をより確実に抑制することができる。
【００２６】
端子蓋体２１を閉蓋状態から開蓋状態へ移行させる場合は、図５Ａに示す端子蓋体２１の上端部２１ａに指を掛け、矢印Ｃに示す方向へ引き出す。端子蓋体２１は、連結部２２及び２３（図４参照）に支持されながら矢印Ｃに示す方向へ回動を始める。
【００２７】
図６Ａは、端子蓋体２１が閉蓋位置と開蓋位置との間に位置している状態を示す要部断面図であり、端子蓋体２１近傍のみを図４におけるＺ−Ｚ部で破断した断面図である。図６Ｂは、図６Ａにおける回動規制部２４近傍の要部断面図である。図６Ａに示す位置まで端子蓋体２１を回動させると、図６Ｂに示すように回動規制部２４の第１規制面２４ａと筐体１の内面１ｇとが離間する。端子蓋体２１を矢印Ｃ方向にさらに回動させると、境界部２４ｄが筐体１の内面１ｇに乗り上げる。端子蓋体２１をさらに矢印Ｃに示す方向へ回動させると、図７Ａに示す状態に至る。
【００２８】
図７Ａは、端子蓋体２１が開蓋位置にある状態を示す要部断面図であり、端子蓋体２１近傍のみを図４におけるＺ−Ｚ部で破断した断面図である。図７Ｂは、図７Ａにおける回動規制部２４近傍の要部断面図である。図７Ｂに示すように、端子蓋体２１が開蓋位置にある時は、回動規制部２４の第３規制面２４ｃが筐体１の内面１ｃに当接する。これにより、端子蓋体２１の矢印Ｄに示す方向の回動が規制され、端子蓋体２１を開蓋位置に位置決めすることができる。この時、連結部２２及び２３において、元の形状（図７Ａ参照）に戻ろうとする矢印Ｄに示す方向の復元力が発生するが、端子蓋体２１は、第３規制面２４ｃが内面１ｃに当接しているとともに、端子蓋体２１が矢印Ｄに示す方向へ回動するためには境界部２４ｄが内面１ｇに乗り上げる必要があるため、矢印Ｄに示す方向への回動を規制することができる。
【００２９】
使用者は、端子蓋体２１が図７Ａ及び図７Ｂに示す開蓋状態の時に、シリアルケーブルをシリアル端子２５（図４参照）に着脱したり、ＬＡＮケーブルをＬＡＮ端子２６（図４参照）に着脱したりすることができる。この時、端子蓋体２１は、十分に端子を開放した開蓋状態で位置決めされているため、端子蓋体２１がケーブル接続を阻害することがなく、容易にケーブルを端子に着脱することができる。
【００３０】
図７Ｃは、シリアル端子２５（図４参照）にシリアルケーブル５４が接続された状態を示す要部断面図である。図７Ｃに示すように、筐体１に備わるシリアル端子２５（図４参照）にシリアルケーブル５４が接続された状態において、シリアルケーブル５４と端子蓋体２１とが離間しているため、シリアルケーブル５４をシリアル端子２５（図４参照）から離脱しやすい。また、シリアル端子２５（図４参照）にシリアルケーブル５４が接続された状態において、シリアルケーブル５４に対して着脱方向以外の方向への負荷がかからないため、端子とケーブルとの間で接続不良などが発生するのを防止することができる。
【００３１】
端子蓋体２１を図７Ａ及び図７Ｂに示す開蓋状態から閉蓋状態へ移行させる際は、図７Ａ及び図７Ｂに示す状態から端子蓋体２１を矢印Ｄに示す方向へ回動する。この時、回動規制部２４の第３規制面２４ｃが筐体１の内面１ｇに当接しているとともに、境界部２４ｄが内面１ｇに乗り上げる必要があるため回動負荷が生じるが、端子蓋体２１を所定角度まで回動すると第３規制面２４ｃが僅かに弾性変形して、図６Ａ及び図６Ｂに示す状態へ移行させることができる。
【００３２】
端子蓋体２１を図６Ａ及び図６Ｂに示す状態からさらに矢印Ｄに示す方向へ回動させ、図５Ａ及び図５Ｂに示す位置まで回動させることにより、端子蓋体２１でシリアル端子２５及びＬＡＮ端子２６（図４参照）を閉蓋することができる。この時、回動規制部２４の第１規制面２４ａが筐体１の内面１ｇに当接している。これにより、端子蓋体２１は、図５Ａに示す閉蓋状態において、自重により矢印Ｃに示す方向へ回動するのを規制されている。
【００３３】
さらに、凸部２７（図４参照）を筐体１の凹部１３（図４参照）に嵌合させることにより、端子蓋体２１を閉蓋位置で位置決めすることができる。
【００３４】
〔３．情報処理装置の構成〕
図８は、実施の形態１におけるカード装着装置を着脱可能な情報処理装置の一例であるパソコンの斜視図である。図９は、カード装着装置がパソコンに装着された状態を示す平面図である。実施の形態１の蓋開閉装置を備えたカード装着装置は、図８に示すパソコンなどの情報処理装置に着脱可能である。
【００３５】
図８に示すように、パソコン５０は、略直方体の筐体５１内に、中央演算処理装置や記憶媒体などを内蔵している。また、パソコン５０は、筐体５１の主平面上に画像などの様々な情報を表示することができるディスプレイ５２を備えている。また、筐体５１においてディスプレイ５２を備えている面には、使用者が様々な情報の入力を行うことができる操作部５３を備えている。また、筐体５１の側面５１ａには、カード装着装置のコネクタ２（図２参照）と電気的に接続可能なコネクタ（不図示）を備えている。また、側面５１ａには、ネジ５ａ及び５ｂを螺結可能なネジ穴（不図示）を備えている。
【００３６】
図９に示すように、カード装着装置の背面１ｂとパソコン５０の側面５１ａとを対向させ、コネクタ同士を接続するとともに、ネジ５ａ及び５ｂを筐体５１の側面５１ａに備えるネジ穴（不図示）に螺結させることにより、カード装着装置をパソコン５０に機械的に装着することができるとともに、コネクタ同士が電気的に接続された状態とすることができる。カード装着装置をパソコン５０に電気的に接続することにより、パソコン５０とカード装着装置との間で情報の交信を行うことができる。例えば、カード装着装置に、記憶領域を有するＩＣチップが搭載されたスマートカード１００（図５参照）を装着することにより、パソコン５０を操作してスマートカード１００に搭載されたＩＣチップから情報を読み出したり、ＩＣチップに情報を書き込んだりすることができる。また、スマートカード１００がセキュリティシステムにおける認証を行うためのカードである場合は、パソコン５０がスマートカード１００に搭載されたＩＣチップから認証情報を読み出し、パソコン５０内において認証作業を実行することができる。
【００３７】
また、カード装着装置は、図４に示すようにシリアル端子２５及びＬＡＮ端子２６を備えている。したがって、図９に示すようにカード装着装置をパソコン５０に電気的に装着し、シリアル端子２５にシリアルケーブル５４を接続することにより、パソコン５０と他の機器との間でシリアル通信を行うことができる。また、カード装着装置をパソコン５０に電気的に装着し、ＬＡＮ端子２６にＬＡＮケーブル５５を接続することにより、パソコン５０をＬＡＮに接続することができる。
【００３８】
〔４．実施の形態の効果、他〕
実施の形態１にかかる蓋開閉装置によれば、端子蓋体２１に回動規制部２４を備えたことにより、端子蓋体２１を開蓋位置に移行させた際に、連結部２２及び２３の復元力によって閉蓋方向へ回動しようとするのを規制することができる。したがって、端子にケーブルを接続する際に端子蓋体２１が接続を阻害することがなく、容易に端子にケーブルを接続することができる。
【００３９】
また、端子蓋体２１を開蓋位置で位置決めするために板バネやストッパーなどの別部品を搭載する必要がないため、部品点数が少なく、低コストに実現することができる。
【００４０】
また、図７Ｃに示すように、端子にケーブルが接続された状態において、端子蓋体２１がケーブルから離間しているため、ケーブルに対して負荷がかからず、端子とケーブルとの間に接続不良などが発生するのを防止することができる。また、端子からケーブルを取り外しやすいというメリットもある。
【００４１】
また、端子蓋体２１が閉蓋位置にある時に、回動規制部２４の第１規制面２４ａが筐体１の内面１ｇに当接する構成としたことにより、端子蓋体２１が自重により開蓋方向へ回動するのを防止することができる。したがって、不意に端子蓋体２１が開くことがないので、端子蓋体２１によって覆うことが可能な端子に水分や埃などの異物が付着するのを防ぐことができる。
【００４２】
なお、実施の形態では、端子蓋体２１でシリアル端子２５及びＬＡＮ端子２６を覆うことができる構成としたが、これらの端子は一例である。端子蓋体２１で覆うことができる端子は、ＵＳＢケーブルを接続可能なＵＳＢ端子や、電源ケーブルを接続可能な電源端子などであってもよい。
【００４３】
また、本発明の蓋体の一例として、端子を覆うことができる端子蓋体２１を挙げたが、蓋体で覆うことができる被隠蔽部は端子に限らない。蓋体で覆うことができる被隠蔽部は、メモリーカードを着脱可能なスロットや、バッテリーを着脱可能なスロットなどであっても、実施の形態１において得られる効果と同様の効果を得ることができる。
【００４４】
また、筐体１の内面１ｇの角度、および端子蓋体２１において開蓋時に内面１ｇに当接する面の角度を調整することにより、端子蓋体２１が開蓋位置にある時の開蓋角度を任意の角度に調整することができる。すなわち、図７Ｂにおいて、線分Ｈは、筐体１の上面１ａに平行な線分である。線分Ｈに対する内面１ｇの角度ａ２を任意の角度に設定することにより、端子蓋体２１の開蓋角度を任意の角度に設定することができる。角度ａ２を大きくすることにより、端子蓋体２１の開蓋角度を大きくすることができる。また、角度ａ２を小さくすることにより、端子蓋体２１の開蓋角度を小さくすることができる。
【００４５】
（実施の形態２）
実施の形態２にかかる蓋開閉装置は、実施の形態１にかかる蓋開閉装置に、内面１ｈと第２規制面２４ｂとを追加した装置である。実施の形態２にかかる蓋開閉装置において、実施の形態１にかかる蓋開閉装置と同様の構成要素については、同一符号を付与して詳細な説明は省略する。
【００４６】
図１０Ａは、端子蓋体２１が閉蓋位置にある状態を示す要部断面図であり、端子蓋体２１近傍のみを破断した断面図である。図１０Ｂは、図１０Ａにおける回動規制部２４近傍の要部断面図である。図１０Ｂに示すように、端子蓋体２１が閉蓋位置にある時は、回動規制部２４の第１規制面２４ａが筐体１の内面１ｇに当接している。端子蓋体２１を矢印Ｃ方向に回動させるためには、回動規制部２４に備える第１規制面２４ａと第３規制面２４ｃとの境界部２４ｄが筐体１の内面１ｇに乗り上げる必要があるため、端子蓋体２１は、図１０Ａに示す閉蓋状態において、自重により矢印Ｃに示す方向へ回動するのを規制されている。なお、実施の形態２では、筐体１に凹部１３を設け、端子蓋体２１に凸部２７を設け、端子蓋体２１が閉蓋位置にある時に凸部２７が凹部１３に嵌合する構成としている。このような構成とすることにより、端子蓋体２１が閉蓋位置にある時に矢印Ｃに示す方向への回動をより確実に抑制することができる。
【００４７】
端子蓋体２１を閉蓋状態から開蓋状態へ移行させる場合は、図１０Ａに示す端子蓋体２１の上端部２１ａに指を掛け、矢印Ｃに示す方向へ引き出す。端子蓋体２１は、連結部２２及び２３（図４参照）に支持されながら矢印Ｃに示す方向へ回動を始める。
【００４８】
図１１Ａは、端子蓋体２１が閉蓋位置と開蓋位置との間に位置している状態を示す要部断面図であり、端子蓋体２１近傍のみを図４におけるＺ−Ｚ部で破断した断面図である。図１１Ｂは、図１１Ａにおける回動規制部２４近傍の要部断面図である。図１１Ａに示す位置まで端子蓋体２１を回動させると、図１１Ｂに示すように回動規制部２４の第１規制面２４ａと筐体１の内面１ｇとが離間する。端子蓋体２１を矢印Ｃ方向にさらに回動させると、境界部２４ｄが筐体１の内面１ｇに乗り上げる。端子蓋体２１をさらに矢印Ｃに示す方向へ回動させると、図１２Ａに示す状態に至る。
【００４９】
図１２Ａは、端子蓋体２１が開蓋位置にある状態を示す要部断面図であり、端子蓋体２１近傍のみを図４におけるＺ−Ｚ部で破断した断面図である。図１２Ｂは、図１２Ａにおける回動規制部２４近傍の要部断面図である。図１２Ｂに示すように、端子蓋体２１が開蓋位置にある時は、回動規制部２４の第２規制面２４ｂが筐体１の内面１ｈに当接する。これにより、端子蓋体２１の矢印Ｅに示す方向の回動が規制される。また、端子蓋体２１が開蓋位置にある時は、回動規制部２４の第３規制面２４ｃが筐体１の内面１ｃに当接する。これにより、端子蓋体２１の矢印Ｄに示す方向の回動が規制され、端子蓋体２１を開蓋位置に位置決めすることができる。この時、連結部２２及び２３において、元の形状（図１２Ａ参照）に戻ろうとする矢印Ｄに示す方向の復元力が発生するが、端子蓋体２１は、第３規制面２４ｃが内面１ｃに当接しているとともに、端子蓋体２１が矢印Ｄに示す方向へ回動するためには境界部２４ｄが内面１ｇに乗り上げる必要があるため、矢印Ｄに示す方向への回動を規制することができる。
【００５０】
使用者は、端子蓋体２１が図１２Ａ及び図１２Ｂに示す開蓋状態の時に、シリアルケーブルをシリアル端子２５（図４参照）に着脱したり、ＬＡＮケーブルをＬＡＮ端子２６（図４参照）に着脱したりすることができる。この時、端子蓋体２１は、十分に端子を開放した開蓋状態で位置決めされているため、端子蓋体２１がケーブル接続を阻害することがなく、容易にケーブルを端子に着脱することができる。
【００５１】
図１２Ｃは、シリアル端子２５（図４参照）にシリアルケーブル５４が接続された状態を示す要部断面図である。図１２Ｃに示すように、筐体１に備わるシリアル端子２５（図４参照）にシリアルケーブル５４が接続された状態において、シリアルケーブル５４と端子蓋体２１とが離間しているため、シリアルケーブル５４をシリアル端子２５（図４参照）から離脱しやすい。また、シリアル端子２５（図４参照）にシリアルケーブル５４が接続された状態において、シリアルケーブル５４に対して着脱方向以外の方向への負荷がかからないため、端子とケーブルとの間で接続不良などが発生するのを防止することができる。
【００５２】
端子蓋体２１を図１２Ａ及び図１２Ｂに示す開蓋状態から閉蓋状態へ移行させる際は、図１２Ａ及び図１２Ｂに示す状態から端子蓋体２１を矢印Ｄに示す方向へ回動する。この時、回動規制部２４の第３規制面２４ｃが筐体１の内面１ｇに当接しているため回動負荷が生じるが、端子蓋体２１を所定角度まで回動すると第３規制面２４ｃが僅かに弾性変形して、図１１Ａ及び図１１Ｂに示す状態へ移行させることができる。
【００５３】
端子蓋体２１を図１１Ａ及び図１１Ｂに示す状態からさらに矢印Ｄに示す方向へ回動させ、図１０Ａ及び図１０Ｂに示す位置まで回動させることにより、端子蓋体２１でシリアル端子２５及びＬＡＮ端子２６（図４参照）を閉蓋することができる。この時、回動規制部２４の第１規制面２４ａが筐体１の内面１ｇに当接している。これにより、端子蓋体２１は、図１０Ａに示す閉蓋状態において、自重により矢印Ｃに示す方向へ回動するのを規制されている。
【００５４】
さらに、凸部２７（図４参照）を筐体１の凹部１３（図４参照）に嵌合させることにより、端子蓋体２１を閉蓋位置で位置決めすることができる。
【００５５】
実施の形態２にかかる蓋開閉装置によれば、端子蓋体２１に回動規制部２４を備えたことにより、端子蓋体２１を開蓋位置に移行させた際に、連結部２２及び２３の復元力によって閉蓋方向へ回動しようとするのを規制することができる。したがって、端子にケーブルを接続する際に端子蓋体２１が接続を阻害することがなく、容易に端子にケーブルを接続することができる。
【００５６】
また、端子蓋体２１を開蓋位置で位置決めするために板バネやストッパーなどの別部品を搭載する必要がないため、部品点数が少なく、低コストに実現することができる。
【００５７】
また、図１２Ｃに示すように、端子にケーブルが接続された状態において、端子蓋体２１がケーブルから離間しているため、ケーブルに対して負荷がかからず、端子とケーブルとの間に接続不良などが発生するのを防止することができる。また、端子からケーブルを取り外しやすいというメリットもある。
【００５８】
また、端子蓋体２１が開蓋位置にある時に、回動規制部２４の第２規制面２４ｂが筐体１の内面１ｈに当接する構成としたことにより、端子蓋体２１が開蓋位置からさらに開蓋方向（図１２Ｃに示す開蓋位置から矢印Ｅに示す方向）へ回動しようとするのを規制することができる。したがって、連結部２２及び２３が破断するなどの破損を防止することができる。
【００５９】
また、端子蓋体２１が閉蓋位置にある時に、回動規制部２４の第１規制面２４ａが筐体１の内面１ｇに当接する構成としたことにより、端子蓋体２１が自重により開蓋方向へ回動するのを防止することができる。したがって、不意に端子蓋体２１が開くことがないので、端子蓋体２１によって覆うことが可能な端子に水分や埃などの異物が付着するのを防ぐことができる。
【００６０】
なお、実施の形態２では、端子蓋体２１でシリアル端子２５及びＬＡＮ端子２６を覆うことができる構成としたが、これらの端子は一例である。端子蓋体２１で覆うことができる端子は、ＵＳＢケーブルを接続可能なＵＳＢ端子や、電源ケーブルを接続可能な電源端子などであってもよい。
【００６１】
また、本発明の蓋体の一例として、端子を覆うことができる端子蓋体２１を挙げたが、蓋体で覆うことができる被隠蔽部は端子に限らない。蓋体で覆うことができる被隠蔽部は、メモリーカードを着脱可能なスロットや、バッテリーを着脱可能なスロットなどであっても、実施の形態２において得られる効果と同様の効果を得ることができる。
【００６２】
また、筐体１の内面１ｇ及び１ｈの角度、および端子蓋体２１において開蓋時に内面１ｇ及び１ｈに当接する面の角度を調整することにより、端子蓋体２１が開蓋位置にある時の開蓋角度を任意の角度に調整することができる。すなわち、図１２Ｂにおいて、線分Ｈは、筐体１の上面１ａに平行な線分である。線分Ｈに対する内面１ｈの角度ａ１と、線分Ｈに対する内面１ｇの角度ａ２とを任意の角度に設定することにより、端子蓋体２１の開蓋角度を任意の角度に設定することができる。角度ａ１及びａ２を大きくすることにより、端子蓋体２１の開蓋角度を大きくすることができる。また、角度ａ１及びａ２を小さくすることにより、端子蓋体２１の開蓋角度を小さくすることができる。
【００６３】
実施の形態１及び２における端子蓋体２１は、本発明における蓋体の一例である。実施の形態１及び２における筐体１は、本発明における筐体の一例である。実施の形態１及び２における回動規制部２４は、本発明における回動規制部の一例である。実施の形態１及び２における第１規制面２４ａは、本発明における開蓋規制面の一例である。実施の形態１及び２における第３規制面２４ｃは、本発明における閉蓋規制面の一例である。実施の形態１及び２におけるシリアル端子２５及びＬＡＮ端子２６は、本発明における被隠蔽部の一例である。実施の形態１及び２における境界部２４ｄは、本発明における境界部の一例である。
【産業上の利用可能性】
【００６４】
本発明は、端子などを開閉可能な蓋開閉装置に有用である。
【図面の簡単な説明】
【００６５】
【図１】実施の形態１にかかる蓋開閉装置を備えたカード装着装置の外観（前面側）を示す斜視図
【図２】実施の形態１にかかる蓋開閉装置を備えたカード装着装置の外観（背面側）を示す斜視図
【図３】スマートカード及びカード装着装置の斜視図
【図４】端子蓋体を開いた状態のカード装着装置の斜視図
【図５Ａ】図１におけるＺ−Ｚ部の要部断面図
【図５Ｂ】図５Ａにおける回動規制部近傍の要部断面図
【図６Ａ】端子蓋体を途中まで開いた状態のカード装着装置の要部断面図
【図６Ｂ】図６Ａにおける回動規制部近傍の要部断面図
【図７Ａ】図４におけるＺ−Ｚ部の要部断面図
【図７Ｂ】図７Ａにおける回動規制部近傍の要部断面図
【図７Ｃ】ケーブルが接続された状態を示す要部断面図
【図８】カード装着装置を着脱可能な情報処理装置の一例であるパーソナルコンピューターの斜視図
【図９】カード装着装置がパーソナルコンピューターに装着された状態を示す平面図
【図１０Ａ】実施の形態２にかかる蓋開閉装置の要部断面図
【図１０Ｂ】図１０Ａにおける回動規制部近傍の要部断面図
【図１１Ａ】端子蓋体を途中まで開いた状態のカード装着装置の要部断面図
【図１１Ｂ】図１１Ａにおける回動規制部近傍の要部断面図
【図１２Ａ】実施の形態２にかかる蓋開閉装置の要部断面図
【図１２Ｂ】図１２Ａにおける回動規制部近傍の要部断面図
【図１２Ｃ】ケーブルが接続された状態を示す要部断面図
【符号の説明】
【００６６】
１  筐体
２１  端子蓋体
２４  回動規制部
２４ａ  第１規制面
２４ｃ  第３規制面
２４ｄ  境界部
【図１】
2010205608.tif 000003
【図２】
2010205608.tif 000004
【図３】
2010205608.tif 000005
【図４】
2010205608.tif 000006
【図５Ａ】
2010205608.tif 000007
【図５Ｂ】
2010205608.tif 000008
【図６Ａ】
2010205608.tif 000009
【図６Ｂ】
2010205608.tif 000010
【図７Ａ】
2010205608.tif 000011
【図７Ｂ】
2010205608.tif 000012
【図７Ｃ】
2010205608.tif 000013
【図８】
2010205608.tif 000014
【図９】
2010205608.tif 000015
【図１０Ａ】
2010205608.tif 000016
【図１０Ｂ】
2010205608.tif 000017
【図１１Ａ】
2010205608.tif 000018
【図１１Ｂ】
2010205608.tif 000019
【図１２Ａ】
2010205608.tif 000020
【図１２Ｂ】
2010205608.tif 000021
【図１２Ｃ】
2010205608.tif 000022